Podtech/llm-jp-corpus-v4-ja_patent huggingface dataset:
(57)【要約】【課題】４個のキャスター付の平面台に設けた２つのハンドルと平面台から支柱を立てて、支柱の上に設けた足首を乗せる２つのステップと２つのハンドルを利用し、上半身や下半身の関節・筋肉のストレッチ体操や運動、リハビリテーション、美しいプロポーションづくりまで一台の器具で多目的に幅広い年齢層に使用可能である。キャスターが付いているので、体に優しく無理なくゆっくり動かすキャスターモーションを提供する。【解決手段】平面台（１）に（２）（３）のハンドルを設ける。（１）の下には（４）（５）（６）（７）の４個のキャスターを設け、（１）の平面台には（８）の空間支柱スタンドが接続され、（８）の中には（９）の高さ調整支柱が入る自分の位置に合った所で絞め（１０）の高さ調整ハンドルを設ける。足首を乗せる（１３）（１４）のステップを設け、足首を固定するため（１５）（１６）と（１７）（１８）のマジックバンドを設ける。膝の屈伸運動をする（１１）（１２）のハンドルを設ける。上記の物で構成されている事を特徴とする。【特許請求の範囲】
【請求項１】
平面台（１）には（２）（３）のハンドルが左右に設置されている（１）の平面台の底面には（４）（５）（６）（７）の４個のキャスターが設置されている。又（１）の平面台には（８）の空間支柱スタンドが接続されこの（８）の中に（９）の高さ調整支柱が入る。（１０）の高さ調整ハンドルを（９）の自分の位置に合った所で（１０）の高さ調整ハンドルで強く絞める。（１３）（１４）のステップには足首を乗せる（１５）（１６）と（１７）（１８）のマジックで足首を固定する。（１１）（１２）の左右のハンドルには膝裏を乗せ屈伸運動をする事が出来る。上記の物で構成されたキャスター・モーションである。
【発明の詳細な説明】
【発明の繊細な説明】
【技術分野】
【０００１】  この発明は脊柱や骨盤・関節・筋肉の運動、リハビリテーション、そして体のプロポーション作りまで幅広い目的で考案されたキャスター・モーションに関するものである。
【背景技術】
【０００２】  従来、健康器具の目的は、用途の範囲が限られ一台の健康器具で、多目的に使用出来ない。
【発明が解決しようとする課題】
【０００３】  これは次の様な問題点があった。一台の器具が幅広い用途として用いる事が出来ない。例えば体操、リハビリテーション、プロポーションづくりなど男女とわず、子供からお年寄りまで幅広い年齢層に親しまれていない。本考案は以上の問題点を解決するために幅広い年齢層と多目的な用途に応じられる様になされたものである。
【課題を解決するための手段】
【０００４】  平面台（１）には（２）（３）の左右のハンドルを設ける。（１）平面台の底面には（４）（５）（６）（７）の４個のキャスターを設け、（１）平面台には（８）の空間支柱スタンドが接続され、（８）の空間支柱の中に（９）の高さ調整支柱が入る（８）に、設置されている高さ調整ハンドル（１０）を設ける。足首を乗せる（１３）（１４）を設け更に足首を固定する（１５）（１６）と（１７）（１８）のマジックバンドを設ける。（１１）（１２）の左右ハンドルは膝裏を乗せ屈伸運動が出来る様になっている。関節や筋肉の運動・リハビリ・プロポーションづくりなど多目的に使用出来るキャスター・モーションである。
【発明を実施するための最良の形態】
【０００５】  平面台には（２）（３）の左右ハンドルが設けられている。これは使用者が、座位・うつ伏せ・仰向けのあらゆる体位でハンドルを握る事が目的で、（１）の平面台の底面には（４）（５）（６）（７）の４個のキャスターが設けられているので、動きが楽で関節や筋肉に無理なく体に優しい。子供からお年寄りまで幅広く使用出来る。たとえば、座位の場合両手てハンドルを握り、前方へキャスターを押したり体を回施する事によって、背筋・腰筋のストレッチ同様に脇腹の引き締め、応用として肩・肘・手関節のリハビリ・仰向け・うつ伏せで両手を使ってハンドルを握り、頭方にキャスターを押す事によって背伸ばし運動になる。その状態で左右側方にキャスターを動かす事によって背柱や背筋の運動になる。ともに胸や脇の筋肉の引き締めになる。使い方によっては顎の周辺の筋肉の引き締め・二の腕・肩関節の運動にもなる。（１）の平面台には（８）の空間支柱スタンドが接続され、（８）の中に（９）の高さ調整支柱が入る。高さが自分に合う所でハンドル（１０）を強く絞め、足首を乗せる（１３）（１４）ステップを設ける。足首固定を目的として（１５）（１６）と（１７）（１８）のマジックバンドを設ける。仰向けで（１３）（１４）のステップに足首を乗せて（１５）（１６）（１７）（１８）のマジックバンドで固定し左右側方に移動すると、腹筋・背筋・腰筋のストレッチ、腹部の引き締め、骨盤背柱の運動。キャスターを両足で手前に引き寄せたり、押す事によって股関節や膝関節の運動。大腿部や下肢の筋肉の筋力アップ及び殿筋の引き締め、（１１）（１２）のハンドルに両膝裏を乗せて屈伸運動する事によって膝関節のリハビリテーションになる。この様に幅広い年齢層に多目的に使用出来るとともにキャスターが設置されている。
【発明の効果】
【０００６】  以上本発明の実施の形態を説明する。平面台（１）には（２）（３）の左右ハンドルを設ける。（１）平面台の底面には（４）（５）（６）（７）の４個のキャスターを設け、（１）の平面台には（８）の空間支柱スタンドが接続し、（８）の中に（９）の高さ調整支柱が入り、高さ調整ハンドル（１０）を設ける。足首を乗せる（１３）（１４）を設け、更に足首を固定する（１５）（１６）と（１７）（１８）のマジックバンドを設ける。（１１）（１２）の左右ハンドルは膝裏を乗せる。本発明は以上の構成よりなっている。（１）の平面台の底面には（４）（５）（６）（７）の４個のキャスターが設置され、関節や筋肉の動きを滑らかにやさしく動かす。子供からお年寄りまで無理なく使用出来る。さらに、座位・仰向け・うつ伏せ状態で（２）（３）のハンドルを使用すると、上半身の運動やストレッチ・リハビリテーションから美しいプロポーションづくりの目的となる。（１３）（１４）のステップに仰向けの状態で足首を乗せる事で、腹筋腰筋をはじめとして股関節・膝関節・下半身の筋肉運動・リハビリテーション・プロポーションつくり等の目的となり、（１１）（１２）の左右ハンドルには膝裏を乗せて屈伸運動する事で膝関節の変形性疾患等のリハビリや予防運動の目的となる。この様に一台の器具が幅広い年齢層に、しかもキャスターが付いているので関節や筋肉に優しく使用出来る。運動・リハビリ・プロポーションづくりと一台の器具が多目的に使用出来る事が可能である。
【図面の簡単な説明】
【図１】本発明の斜視図である
【図２】本発明の分解斜視図である
【符号の説明】
１  平面台
２  ハンドル
３  ハンドル
４  キャスター
５  キャスター
６  キャスター
７  キャスター
８  空間支柱スタンド
９  高さ調整支柱
１０  高さ調整ハンドル
１１  ハンドル
１２  ハンドル
１３  ステップ
１４  ステップ
１５  マジックバンド
１６  マジックバンド
１７  マジックバンド
１８  マジックバンド
【図１】
2007152056.tif 000002
【図２】
2007152056.tif 000003
(57)【要約】【課題】    従来のゴム弓は入木の配慮が無い故、筋肉トレーニングには有効でも、射法トレーニングには不向きで有り、離れの時危険ですら有った。【解決手段】本発明のものは  入木を施し且つゴム紐の反発帰路ガイドを兼ねたパイプで長さ・強度を容易に調整できる事により  実際の弓と同じ挙動をして  同じ手応えを得て安全・安心に  平常心で鍛錬・修養に専心できる。【選択図】図１
2007152051.tif 000002
【特許請求の範囲】
【請求項１】
弓道射法八節練習の為のゴム弓において、矢摺籐・握りを備えたのみならず、入木も備え、引分け・会・離れ時の手応えも実際に似て、残身の修養にも役立ち、筋肉鍛錬と共に正しい手の内を学ぶ事ができるゴム弓。
【請求項２】
ゴム弓において、打起し、引分け、会、とゴム紐の反発力の変化が、恰も実際の弓のごとく変化するように、ゴム紐の固定位置を  弓の握りの外竹より  更に前方へ、又は内竹より手前に設定可能なゴム弓
【請求項３】
ゴム弓において、打起こし時に  ゴム紐の重量を射手（右手）でなく、弓手（左手）で支え、且つ  実際の弓の弦の中仕掛に相当する  ゴム紐の中仕掛相当部より上側の長さを長く  下側の長さを短く  設定する事により  和弓の特徴である上長下短の手応えを与える  ゴム弓
【発明の詳細な説明】
【技術分野】
【０００１】  本発明は  弓道において  単なる筋肉トレーニングではなく、手応えが実際の弓と良く似ていて  射法八節の技量と正しい手の内をも学ぶ事ができる  練習用ゴム弓である。
【発明の開示】
【発明が解決しようとする課題】
【０００２】  従来  筋肉トレーニング用のゴム弓は有ったが  実際の弓とその挙動が異なり、それ故筋肉トレーニングには効果有っても、射法の上達には効果無く  むしろ  放たれたゴムが弓手親指付け根付近を強打して  怪我の虞すら有った。
【課題を解決する為の手段】
【０００３】  ゴム弓が実際の弓と同し挙動をする為  ゴム弓へ  実際の弓と同じ入木を施すと共に、ゴム紐を握りに固定したパイプの中へ通し  パイプのゴム紐固定位置を  握りより外方又は内方へ設置する。
【発明の効果】
【０００４】  ゴム弓に入木があり、ゴム紐に上長下短が有る故  打起し・引分け・会・離れの時に、  より実際の弓と同じ手応えが得られて、残身の修養にも  充分な効果が得られる。
【０００５】  ゴム弓に入木が有る故  離れの時  ゴム弓が自然回転し  ゴム紐はパイプの中へ収容されて弓手に当ら無いから  鍛錬者は恐怖する事なく  平常心で鍛錬に集中する事ができる。
【０００６】  他方  ゴム紐の中仕掛部分より上方の長さや  下方の長さを適当な位置に固定するにはパイプの長さを調節すれば良く、ゴム紐の長さ調節・強さ変更が  容易に実施可能になりよりきめ細かな鍛錬を得ることができる。
【発明を実施する為の最良の形態】
【０００７】  適当な長さの  弓の様な断面形を持ち  入木が採れる左右方向への張出しがある部材で総重量が実際の弓に類似の物の両端へ  ゴム紐を装着するパイプを直行に設ける。他方  適当な引張強度で  適当な長さのゴム紐を  パイプの中へ通し  パイプの中の任意の位置へ固定する。
【実施例１】
【０００８】    図１の如き形状の物の両端に  直行に取付けたパイプの長さを吟味して決めた  性能固定型ゴム弓。
【実施例２】
【０００９】図２の如き形状の物の両端に  パイプを直行に取付け  パイプの内径に合わせた外径の管状体へ端末を固定したゴム紐を通し  管状体をパイプへ固定して成る  可変型ゴム弓
【図面の簡単な説明】
【００１０】
【図１】  従来のゴム弓と  本発明によるゴム弓の  入木の差異を明示した。
【図２】  ゴム紐の端末をゴム弓の直行パイプへ通し、パイプ端末へ固定した  固定性能型ゴム弓。
【図３】  ゴム紐の端末を  パイプ内径に対応した外径の管状体へ固定し  それをパイプ内へ通し任意の位置でパイプと管状体を固定して成る  性能可変型ゴム弓。
【符号の説明】
【００１２】１．従来のゴム弓
２．本発明のゴム弓
３．上下両端のゴム紐ガイド兼固定用パイプ
４．矢摺籐、握りの心線
５．上下両端のゴム紐固定穴を通る  通称「弦の線」  心線と弦線の差異が入木である。
６．ゴム紐固定管状体と  ゴム紐ガイド兼固定用パイプとの可変型固定状態。
【図１】
2007152051.tif 000003
【図２】
2007152051.tif 000004
【図３】
2007152051.tif 000005
(57)【要約】【課題】  洗濯物を干すためハンガーを使用するとき、洗濯物の表側と裏側が吸着して乾きが遅くなる問題点を解決し、簡単に早く乾くようにした洗濯用ハンガーを提供する。【解決手段】  大・小型ハンガーを大は上部に、小は下部になるように組み付け、下の小型ハンガーを９０°ほど回わして洗濯物の中側に煙突風の空間をつくり、風を通すことを特徴とする早乾き洗濯ハンガーに関するものである。【選択図】図１
2007152054.tif 000002
【特許請求の範囲】
【請求項１】
横長状の肩受け部からなる洗濯ハンガーの下段に小ハンガーを設け、上段のハンガーに対して小ハンガーを自由な角度に回わすことができ、衣類の内側に小ハンガーを挿入し、洗濯物を干すとき洗濯物の前側と後ろ側が吸着しないように小ハンガーを回して広げ、衣類の内側に煙突風の空間をつくり、風通しを良くする早乾き洗濯ハンガー。
【発明の詳細な説明】
【技術分野】
【０００１】  本発明は通常の洗濯ハンガーで洗濯物を干すとき、洗濯物の前側と後ろ側が吸着して乾きに時間がかかる問題点を解決するためになされたものである。
通常ハンガーの下部に小ハンガーを装着して９０°ほど回わすことにより、吸着を離して空間をつくり洗濯物の内側へも風がよく通り、早く乾く早乾き洗濯ハンガーに関するものである。
【背景技術】
【０００２】  従来の洗濯物を干すハンガーは、水平状からなる横長の肩受け部の中心にフックを設けて肩受け部に衣類を掛け、フックで竿やロープに掛けている。
【発明の開示】
【発明が解決しようとする課題】
【０００３】  従来のハンガーは、ハンガーに掛けた衣類の表面の生地と裏側の生地がくっついて、内側への風通しが悪く乾燥が遅かった。
本発明は以上の欠点を解決するものである。
【課題を解決するための手段】
【０００４】  横長状の肩受け部からなる洗濯ハンガーの下段に小ハンガーを設け、上段のハンガーに対して小ハンガーを自由な角度に回わすことができ、衣類の内側に小ハンガーを挿入し、洗濯物を干すとき洗濯物の前側と後ろ側が吸着しないように小ハンガーを回して広げ、衣類の内側に煙突風の空間をつくり、風通しを良くする早乾き洗濯ハンガー。【０００５】  本発明の早乾き洗濯ハンガーは洗濯物の内側に煙突状態の空間ができ、空間の風通しが良くなる。
したがって、衣類の乾燥が早くなる。【０００６】  以下、本発明の実施の形態を説明する。
（イ）水平状からなる横長のハンガー（１）の肩受け部（２）の中心に、先端フック部（５）を有する縦長状の軸（６）を貫通させる。
（ロ）横長短軸からなる小ハンガー（３）の中心に貫通穴（４）を設ける。
（ハ）軸（６）を小ハンガー（３）の貫通穴（４）に通し、下端にストッパー（８）を設ける。
（ニ）肩受け部（２）と小ハンガー（３）の間に、軸（６）に貫通されるワッシャー（７）を設ける
本発明は以上の構成よりなっている。
本発明を使用すると、洗濯物の内側に煙突状態の空間ができ、空間の風通しが良くなる。
したがって、衣類の乾燥が早くなる。
【図面の簡単な説明】
【０００７】
【図１】  本発明の断面図
【図２】  本発明の部分断面図
【図３】  本発明の実施例を示す斜視図
【符号の説明】
【０００８】１  ハンガー
２  肩受部
３  小ハンガー
４  貫通穴
５  フック部
６  軸
７  ワッシャー
８  ストッパー
９  風
【図１】
2007152054.tif 000003
【図２】
2007152054.tif 000004
【図３】
2007152054.tif 000005
(57)【要約】【課題】畳の下に差し込んだ金具と家具背面の下側の両隅に取り付けた金具とを結合させ、家具の自重や畳の重さを利用して家具類の転倒を防止しようとする。【解決手段】家具の自重と畳の重さを利用して家具を固定するＬ字型の固定金具Ａ（１）と他方、家具の背面下側の隅に取り付けて固定金具を受ける凹型部（３）を持った取付金具Ｂ（２）と、その両方の金具を止める結合金具Ｃ（４）とから成り、前記金具ＡからＣを結合させて、家具の左右両方に一対形成し、家具類を固定することを特徴とする、家具の自重を利用した家具転倒防止器具。【選択図】図１
2007152060.tif 000002
【特許請求の範囲】
【請求項１】
家具の自重と畳の重さを利用して家具を固定する金具と、家具の背面下側の隅に取り付けた金具と、その両方の金具を止める結合金具とからなり、これら金具を結合させて一対を形成し、家具類を固定することを特徴とする家具の自重を利用した家具転倒防止器具。
【発明の詳細な説明】
【技術分野】
【０００１】  激しい地震の揺れは縦揺れや横揺れなど複雑な揺れになり家具が上下したり、壁面とぶつかりあって引き出しや扉が開き重心が前に掛かり家具が転倒する。
本発明は、これを防ぐために畳の下に差し込んだ家具を固定する金具と家具の背面下側の隅に取り付けた取付金具を結合させ、家具類を固定する家具の自重を利用した家具転倒防止器具に関するものである。
【背景技術】
【０００２】  従来の転倒防止器具は、天井と家具の上部を突っ張り器具で固定したり、柱や梁と家具を金具やベルトで止めたり、さらには家具の前面下に三角板を差し込み、家具を壁面に寄りかからせる器具などがあるが、いずれも激しい地震の上下動や前後左右の複雑な揺れに十分対応できるものは無い。
【発明の開示】
【発明が解決しようとする課題】
【０００３】  従来の転倒防止器具は、天井と家具の上部を突っ張り金具で固定するものがあるが、家具の上部と天井の間が近い、いわゆる背の高い家具でなければ使えない。
また、止め金具やベルト止めの器具は、柱や梁がある場所など止める箇所が限定される。また家具の前面に三角板を差し込む器具は、壁面が無いところでは使用できなかったり、床面が柔らかいところでは使用できない。
本発明はこの課題を解決するものである。
【発明を解決するための手段】
【０００４】  家具の自重と畳の重さを利用して家具を固定するＬ字型の固定金具Ａ（１）と他方、家具の背面下側の隅に取り付けて固定金具を受ける凹型部（３）を持った取付金具Ｂ（２）と、その両方の金具を止める結合金具Ｃ（４）とから成り、前記金具ＡからＣを結合させて家具の左右両方に一対形成し、家具類を固定することを特徴とする家具の自重を利用した家具転倒防止器具。
【発明の効果】
【０００５】  家具が壁や床と反発することなく固定され同じ動きとなるため、引き出しが飛び出したり、扉が開き重心が前に掛かるのを防ぎ、家具転倒を防ぐものである。
また、止める場所も柱や梁などの有る箇所に限定されず、柱や梁を傷つけることが無くなる。また固定する場所は家具の裏面下部に固定するので、家具類の高い低いにかかわらず使用できる。
【発明を実施するための最良の形態】
【０００６】本発明を実施するための形態を図面により説明する。
（ア）固定金具Ａ（１）は、家具の自重と畳の重さを利用して家具類を固定するためのＬ字型の平板金具で、前方の長い水平な板には、畳及び家具類が乗り、後方に桟に引っ掛かる短い水平な板、すなわち突起部（５）を持つ。
（イ）三角形の取付金具Ｂ（２）は、家具の背面の桟に取り付けるために隅と下部にネジ止めの穴を設け、その一部に前記固定金具Ａ（１）を受ける凹型部（３）を設ける。
（ウ）前記凹型部（３）の開口部は、固定金具Ａ（１）が挿入出来る幅を持ち、両脇に結合金具Ｃ（４）を止めるための爪（７）を持つ。
（エ）前記結合金具Ｃ（４）は、取付金具Ｂ（２）の凹型部（３）に挿入した固定金具Ａ（１）を結合する平板金具で、凹型部の爪（７）に掛かる大きさ、幅を持ち、頭頂部（６）は、ずり落ちしないように反りを設ける。
本発明は、実施に際しては、前記ＡからＣまでの金具を結合させ、家具類裏面などに左右一対を形成する構成よりなっている。
本発明を使用する場合は、図２及び図３に示すように、Ｌ字型の固定金具Ａ（１）を畳の下に差し込み家具類や畳の重みで固定する。三角形の取付金具Ｂ（２）を図４のように家具類の左右の両隅にネジで止める。図２にあるように前記の固定金具Ａ（１）を取付金具Ｂ（２）の凹型部（３）に挿入し、結合金具Ｃ（４）を上部から差し入れ両金具を密着結合させる。
（オ）なお、上記実施例及び図においては、例えば取付金具Ｂの形状を三角形と限定的に述べたが、本発明の範囲において目的を達し得るものであれば、頂辺が横に長い台形状や山型、四角形などでも良く拘泥するものではない。
（カ）また、本発明では、固定金具Ａを受ける部分は、取付金具Ｂに設ける凹型部の形状としたが、応用例としてはこれを筒状として、取り付けた家具類と一緒にＬ字型金具の上部から落とし込むように差し入れる方法もある。
（キ）また、固定金具と取付金具を結合固定する方法の応用例としては、両金具にネジ穴を設け、摘み状のネジで直接止めることも考えられる。
【図面の簡単な説明】
【０００７】
【図１】本発明を示す斜視図
【図２】本発明の使用状態を示す斜視図
【図３】本発明の使用状態を示す、一部を断面とした側面図
【図４】本発明の使用状態を示す斜視図
【符号の説明】
【０００８】（１）固定金具Ａ
（２）取付金具Ｂ
（３）凹型部
（４）結合金具Ｃ
（５）突起部
（６）頭頂部
（７）爪
【図１】
2007152060.tif 000003
【図２】
2007152060.tif 000004
【図３】
2007152060.tif 000005
【図４】
2007152060.tif 000006
(57)【要約】【課題】  被介護者がベット上に腰掛けた状態でも安定した座りができるように支えられる介護用肘掛け付き背もたれを提供する。【解決手段】    被介護者のお尻にひく面を無くしたことで持ち上げることなく、肘掛けと背もたれで囲い、肘掛けの先端に取り付けたバンドでベット枠に固定することで、安定した座位を保てる介護用肘掛け付き背もたれ。【選択図】図１
2007152059.tif 000002
【特許請求の範囲】
【請求項１】
背もたれに左右の肘掛けを連結し、この肘掛けの先端部にベット枠に取り付けることが出来るように形成された取り付け手段を設けたことを特徴とする介護用肘掛け付き背もたれ。
【請求項２】
背もたれと左右の肘掛けと、これらを収納し、連結できるように形成されたカバーとからなり、このカバーの肘掛け部分の先端部にベット枠に取り付けられるように形成された取り付け手段を設けたことを特徴とする介護用肘掛け付き背もたれ。
【発明の詳細な説明】
【技術分野】
【０００１】    本発明は被介護者がベット上で足を下げた状態で座位を保てるように背もたれの両端に肘掛けを連結したカバーの、肘掛け部分の先端にベット枠に取り付けられるように形成された手段を設けた介護用品に関するものである。
【背景技術】
【０００２】    座位を保てるようにリクライニング式のベットや背もたれ部分を支える後方に伸びた両端のパイプに角度調整を付けた商品名バックレストアームがある。
【発明の開示】
【発明が解決しようとする課題】
【０００３】    老老介護が増えている現在、被介護者をベットから車椅子に移動させることは大変な労力を要する。座位を保てるベッドでも足と腰の高さが同じで背にもたれた状態では腰に負担がかかり、背中への圧迫感もある。
商品化されている品はパイプ式で重く、ベット上に置くだけなので平衡感覚を保てない被介護者には不安定である。本発明はこれらの問題点を解決するためになされたものである。
【課題を解決するための手段】
【０００４】    本発明は介護者の負担を軽減するために軽量化し、被介護者を持ち上げなくてすむようにお尻にひく面のない背もたれとその両端に連結した肘掛けで囲むようにする。肘掛けの先端に取り付けたバントでベット枠に固定することで、安定した座りを維持できる特長を持つ介護用肘掛け付き背もたれである。
【発明の効果】
【０００５】    一日数分でも足を下ろした状態で座ることは医者も認める程、身体に与える影響は多大なものである。お尻にひく面が無いために被介護者を持ち上げることなくベッド上に座らせ、肘掛け付き背もたれで囲い、肘掛けの先端に取り付けたバントでベット枠に固定すれば安定した座位が保てる。軽量化したことで被介護者を支えながらでも作業がし易く、また肘掛けが付いていることで麻痺した手を肘かけにかけようとするなどリハビリ効果もある。
【発明を実施するための最良の形態】
【０００６】  以下、本発明の実施の形態を説明する。
（イ）背もたれ用軽量ブロック（１ａ）の体に接する面にクッション（１ｂ）を貼着する。
（ロ）左肘掛け用軽量ブロック（２ａ）の体に接する面にクッション（２ｂ）を貼着する。
（ハ）右肘掛け用軽量ブロック（３ａ）の体に接する面にクッション（３ｂ）を貼着する。
（ニ）背もたれ用カバー本体（５）の引き出し口に雌面ファスナ（５ｃ）を縫いつけ、本体に接続されているフタ（５ａ）側に雄面ファスナ（５ｂ）を縫いつける。
（ホ）左肘掛け用カバー本体（６）の引き出し口に雌面ファスナ（６ｃ）を縫いつけ、本体に接続されているフタ（６ａ）側に雄面ファスナ（６ｂ）を縫いつける。
（ヘ）右肘掛け用カバー本体（７）の引き出し口に雌面ファスナ（７ｃ）を縫いつけ、本体に接続されているフタ（７ａ）側に雄面ファスナ（７ｂ）を縫いつける。
（ト）左肘掛け用カバー本体（６）の先端部分にバンド（４）を縫い付ける。
（チ）右肘掛け用カバー本体（７）の先端部分にバンド（４）を縫い付ける。
（リ）背もたれ用カバー本体（５）と左肘掛け用カバー本体（６）および右肘掛け用カバー本体（７）を縫い合わせる。
（ヌ）背もたれ用カバー本体（５）に背もたれ（１）を入れ、フタ（５ａ）に縫いつけている雄面ファスナ（５ｂ）と背もたれ用カバー本体（５）に縫いつけてある雌面ファスナ（５ｃ）で閉じる。
（ル）左肘掛け用カバー本体（６）に左肘掛け（２）を入れ、フタ（６ａ）に縫いつけている雄面ファスナ（６ｂ）と左肘掛け用カバー本体（６）に縫いつけてある雌面ファスナ（６ｃ）で閉じる。
（オ）右肘掛け用カバー本体（７）に右肘掛け（３）を入れ、フタ（７ａ）に縫いつけている雄面ファスナ（７ｂ）と左肘掛け用カバー本体（７）に縫いつけてある雌面ファスナ（７ｃ）で閉じる。
本発明は以上の構成によりなっている。
本発明を使用するときは、カバーで連結された背もたれ（１）と左肘掛け（２）および右肘掛け（３）をベット上に置き、左肘掛け（２）の先端に取り付けたバンド（４）の雄面ファスナ（４ａ）と雌面ファスナ（４ｂ）をベット枠に通し接続する。右肘掛け（３）の先端に取り付けたバンド（４）の雄面ファスナ（４ａ）と雌面ファスナ（４ｂ）をベット枠に通して接続する。
【図面の簡単な説明】
【０００７】
【図１】本発明の斜視図
【図２】本発明の肘掛け用カバー本体の詳細図
【図３】本発明の部分詳細図
【図４】本発明を後方から見た分解斜視図
【図５】本発明の使用状態を示す斜視図
【符号の説明】
【０００８】１    背もたれ                                  ８    取ッ手
１ａ  背もたれ用軽量ブロック                    ９    ベット
１ｂ  クッション                                １０  ベット枠
２    左肘掛け
２ａ  左肘掛け用軽量ブロック
２ｂ  クッション
３    右肘掛け
３ａ  右肘掛け用軽量ブロック
３ｂ  クッション
４    バンド
４ａ  雄面ファスナ
４ｂ  雌面ファスナ
５    背もたれ用カバー本体
５ａ  フタ
５ｂ  雄面ファスナ
５ｃ  雌面ファスナ
６    左肘掛け用カバー本体
６ａ  フタ
６ｂ  雄面ファスナ
６ｃ  雌面ファスナ
７    右肘掛け用カバー本体
７ａ  フタ
７ｂ  雄面ファスナ
７ｃ  雌面ファスナ
【図１】
2007152059.tif 000003
【図２】
2007152059.tif 000004
【図３】
2007152059.tif 000005
【図４】
2007152059.tif 000006
【図５】
2007152059.tif 000007
(57)【要約】【課題】  使用された傘を床置きや手持ちせずに，未使用時でも邪魔にならない安全で安価な傘固定具を提供する。【解決手段】  マジックテープ（２）取っ手（３）組み付け穴（４）を設けた固定バンド（１）と粘着テープ（６）コの字断面形状（７）を設けた車体取り付け部品（５）を組み付け、粘着テープ（６）でドア（８）と車体（９）の隙間に貼り付け設置する事を特徴とする。【選択図】図１
2007152058.tif 000002
【特許請求の範囲】
【請求項１】
マジックテープ（２）取っ手（３）組み付け穴（４）を設けた固定バンド（１）を粘着テープ（６）コの字断面形状（７）を設けた車体取り付け部品（５）に組み付け、粘着テープ（６）でドアと車体の隙間に貼り付け設置し、必要時に引き出して使用する車内用傘固定具。
【発明の詳細な説明】
【発明の詳細な説明】
【産業上の利用分野】
【０００１】  この発明は、車内において傘を固定するバンド及び設置位置に関するものである。
【背景技術】
【０００２】従来より、傘は床置きや手持ちであったり、座席に取り付ける袋状のケースを使用していた。
【発明が解決しようとする課題】
【０００３】これには次のような欠点があった。
（イ）  床置きにより傘が汚れる。
（ロ）  手持ちでは疲れる。
（ハ）  床置きは見た目に乱雑である。
（ニ）  袋状のケースは大きくて未使用時は邪魔である。
（ホ）  袋状のケースは未使用時見た目が悪い。
（ヘ）  袋状のケースはシートに取り付けるので、前席では傘の出し入れが後ろ向きとなり使用しにくい。
本発明はこれらの欠点を除くためになされたものである。
【課題を解決するための手段】
【０００４】マジックテープ（２）取っ手（３）組み付け穴（４）を設けた固定バンド（１）と粘着テープ（６）コの字断面形状（７）を設けた車体取り付け部品（５）を組み付け、粘着テープ（６）でドア（８）と車体（９）の隙間に貼り付け設置する。
本発明は、以上のような構造によりなる車内用傘固定具である。
【発明を実施するための最良の形態】
【０００５】以下、本発明の実施例について説明する。
（イ）  固定バンド（１）にマジックテープ（２）取っ手（３）組み付け穴（４）を設ける。
（ロ）  車体取り付け部品（５）に粘着テープ（６）コの字断面形状（７）を設ける。
（ハ）  組み付け穴（４）とコの字断面形状（７）を組み付ける。
（ニ）  車体取り付け部品（５）を粘着テープ（６）でドア（８）と車体（９）の隙間に貼り付け設置する。
本発明は以上のような構造で、これを使用する時は、ドア（８）と車体（９）の隙間から取っ手（３）をつまみ、固定バンド（１）を引き出し、傘（１０）に巻きつけ、マジックテープ（２）で固定する。
【発明の効果】
【０００６】これには次のような効果がある。
（イ）  傘を床置きや手持ちしない。
（ロ）  床置きしないので傘が汚れない。
（ハ）  未使用時は自重にてドアと車体の隙間に収まるので収納手間がなく、邪魔にもならない。
（ホ）  各ドア毎に装備出来るのでどの座席でも着座前方で使用できる。
【図面の簡単な説明】
【図１】  本発明の部品構成の斜視図である。
【図２】  本発明の取り付け時の斜視図である。
【図３】  本発明の使用時の斜視図である。
【図４】  本発明の断面図である。
【符号の説明】
１    固定バンド
２    マジックテープ
３    取っ手
４    組み付け穴
５    車体取り付け部品
６    粘着テープ
７    コの字断面形状
８    ドア
９    車体
１０  傘
【図１】
2007152058.tif 000003
【図２】
2007152058.tif 000004
【図３】
2007152058.tif 000005
【図４】
2007152058.tif 000006
(57)【要約】【課題】          従来の洋服の展示方法では、ハンガーに掛けるためハンガーの一部と掛けられるパイプまたは掛け具が露出してしまう。また、マネキンに着せるときれいに見えるが、数を展示することができずコストもかかってしまう。【解決手段】      下部から立ち上がるパイプに二股に分かれたものを外側から内側に曲げ、それに洋服の両肩を掛けることにより、展示する洋服のみを見せることができる。また、脱着も容易にできる。【選択図】図１
2007152040.tif 000002
【特許請求の範囲】
【請求項１】
洋品店で、シャツや上着を展示する際に、従来の物より、きれいに並べて見せることができ、また、マネキンより低価格でできることを特徴とするハンガー。
【発明の詳細な説明】
【技術分野】
【０００１】  本発明は、ハンガーに関するものである。さらに詳しくは、ハンガーの形状に関するものである。
【背景技術】
【０００２】  従来の洋品店では洋服を展示する際に、ハンガーに掛けるかマネキンに着せている。
【発明の開示】
【発明が解決しようとする課題】
【０００３】  ハンガーに掛ける場合、ハンガーの一部や掛けるパイプが露出している。また、マネキンに着せるときれいに見えるが数を展示することが困難になる。
【課題の解決するための手段】
【０００４】  途上の目的を達成するために、本発明にかかるハンガーは、展示する洋服のみをきれいに見せることができ、さらに数も見せられることが望ましい。
【発明を実施するための最良の形態】
【０００５】  図１は、本発明の全体図である。【０００６】  図１を参照して説明すると、洋服の肩部のみを掛けられる器具を用いて下部から立ち上がるパイプに接続する。【０００７】  図２を参照して説明すると、パイプを連なって立てることのできる什器を用いると洋服は中に浮いているように見ることができる展示状態になる。
【発明の効果】
【０００８】  以上、詳細に記述したように本発明のハンガーは、展示する洋服のみを見せることができ衣料品販売の店内もすっきりして充分満足させられることになる。
【図面の簡単な説明】
【０００９】
【図１】    本発明のハンガーの全体図である。
【図２】    本発明を使っての展示例である。
【符号の説明】
【００１０】    Ｈ          ハンガー
Ｐ          パイプ
【図１】
2007152040.tif 000003
【図２】
2007152040.tif 000004
(57)【要約】【課題】  健康目的．運動．娯楽．リハビリなどに投げ打ち握り転がして屋内外で子供もお年寄りもだれもが．いつでもどこでも使用できる持ち運び自由な小形で柔軟で軽くカラフルで体にやさしいトルマリン粒．炭粒入りの万能型健康ボールを提供する。【解決手段】  小形で円柱形のボールの表面部（１）をカラフルな軟質材にしてボール内部には表面の接合部（６）から軽量のトルマリン配合パイプ粒（２）．炭配合パイプ粒（３）．球形粒（４）などの３種類以上の粒を薄地の網袋（５）に詰めて納入した柔軟で軽いボールであり痛くなく安全で握り心地が良くマイナスイオン．遠赤外線効果もあり年齢に関係なく多目的に使用できる。【選択図】図１
2007152071.tif 000002
【特許請求の範囲】
【請求項１】
小形で円柱形のボールの表面部（１）はカラフルで柔軟な材質でありボールの内部に軽量のトルマリン配合パイプ粒（２）．炭配合パイプ粒（３）．球形粒（４）などの３種類以上の粒を薄地の網袋（５）に詰めて接合部（６）から納入したトルマリン粒．炭粒入りの万能型健康ボール。
【発明の詳細な説明】
【技術分野】
【０００１】本発明は．ボールの内部にトルマリン配合パイプ粒．炭配合パイプ粒．球形粒などの３種類以上の粒を網に包み納入したカラフルで柔軟．軽量な円柱形の小形ボールであり．健康目的．リハビリ．運動．娯楽など多目的に使用できるトルマリン粒．炭粒入りの万能型健康ボールに関するものである。
【背景技術】
【０００２】従来よりボールの種類は数々あるが使用法が限られていて年齢に関係なく多目的に使用できる万能型のボールはなかった。
【発明の開示】
【発明が解決しようとする課題】
【０００３】これには次のような欠点があった。
（イ）破損したら再利用ができない。
（ロ）自由自在にポケットに入れて持ち運びができない。
（ハ）投げ打ち握り転がしてなど多種多彩に使えない。
（ニ）使用する年齢層が限られている。
（ホ）体に当たると痛い。
（ヘ）健康粒入りの万能ボールではない。
（ト）健康目的として限られている。
本発明は以上の欠点を解決するためになされたものである。
【課題を解決するための手段】
【０００４】小形で円柱形のボールの表面部（１）をカラフルな軟質材にしてボール内部には軽量のトルマリン配合パイプ粒（２）．炭配合パイプ粒（３）．球形粒（４）などの３種類以上の粒を網袋（５）に詰めて接合部（６）から納入した柔軟で軽いボールである。
本発明は以上の構成よりなるトルマリン粒．炭粒入りの万能型健康ボールである。
【発明の効果】
【０００５】本発明は．円柱形で柔軟．軽量．小形のカラフルなボールなので投げ打ち握り転がすことが容易で内部粒のマイナスイオン．遠赤外線効果もあり体にやさしく安全で持ち運び自由で破損しても再利用が可能で子供もお年寄りもだれもが屋内外でいつでもどこでも健康目的．運動．娯楽など多目的に使用できる。
以下．本発明の実地の形態について説明する。
（イ）．小形で円柱形のボールの表面部（１）をカラフルな軟質材にする。
（ロ）．ボールの接合部（６）から軽量のトルマリン配合パイプ粒（２）．炭配合パイプ粒（３）．球形粒（４）などの３種類以上の粒を網袋（５）に詰めてボール内部に納入して接合部（６）を閉じる。
【実施例１】
【０００６】
【図面の簡単な説明】
【０００７】
【図１】本発明の斜透視図である。
【図２】本発明の平面図である。
【図３】本発明の図２のａ線の断面図である。
【符号の説明】
【０００８】１  表面部
２  トルマリン配合パイプ粒
３  炭配合パイプ粒
４  球形粒
５  網袋
６  接合部
【図１】
2007152071.tif 000003
【図２】
2007152071.tif 000004
【図３】
2007152071.tif 000005
(57)【要約】【課題】  これまでのゴルフ練習具は練習場でのものが主体であり、そして練習場で出来てもコースでの実践ではその成果はなかなか発揮出来なかったのがこれまでの課題だったのである。【解決手段】  本発明は、帽子・頭取付部の上側に支え部があり、支え部の先端に回転自在具が付き、回転自在具には吊るし糸で吊るされた基準位置おもりがあるゴルフスイング練習具にしたものである。【選択図】図１
2007152072.tif 000002
【特許請求の範囲】
【請求項１】
帽子・頭取付部の上側に支え部があり、支え部の先端に回転自在具が付き、回転自在具には吊るし糸で吊るされた基準位置おもりがあるゴルフスイング練習具。
【発明の詳細な説明】
【技術分野】
【０００１】  本発明は、ゴルフのスイング練習具に関する。
【背景技術】
【０００２】  これまでのものは練習場主体であり、普通にスイング出来ながらコースで実践練習出来る練習具はなかったのである。
【発明の開示】
【発明が解決しようとする課題】
【０００３】  これまでのゴルフ練習具は練習場でのものが主体であり、そして練習場で出来てもコースでの実践ではその成果はなかなか発揮出来なかったのがこれまでの課題だったのである。【０００４】  本発明は、練習場でばかりではなく、コースで早く成果が出る練習具を課題とし、コースでも普通にスイングしながら練習出来る練習具を得る事を目的とするものである。
【課題を解決するための手段】
【０００５】  そして、本発明は帽子・頭取付部の上側に支え部があり、支え部の先端に回転自在具が付き、回転自在具には吊るし糸で吊るされた基準位置おもりがあるゴルフスイング練習具にしたものである。【０００６】  上記の課題解決手段による作用は次の通りである。ゴルフスイングの基本中の基本であるのが、スイング軸のブレないボディータゥーンである。そのスイング軸のブレをスイング中に判るようにしたものである。スイング軸のブレの分だけ基準位置おもりが動くようにしたのである。それを見ながらイメージスイングづくりをし練習し、それをコースでの実践でも使用出来るものにしたものである。コースでの実践では練習で出来ている事がそんなに簡単には出来ていないからである。この発明により自分の実力を現場で知りその場ですぐ修正でき納得し自信となるのである。実践での結果はいかに多くの練習より身に付くのである。ゴルファーのゴルフのレベルアップが目に見えるようである。
【発明の効果】
【０００７】  ゴルフの基本中の基本であるスイング軸のブレを自分で知り、正しいボディータゥーンのイメージづくりが自分自身で出来るのである。これまで“教え魔”の知ったかぶりにより間違って覚える方が非常に多く、それだけスイング理解者で上級者が少ないのであった。この発明は、それを一気に解決させたのである。目からウロコと云われるゴルファー続出が目に浮かんでくるのである。
【発明を実施するための最良の形態】
【０００８】  以下、本発明の実施の形態を図１〜図２に基づいて説明する。【０００９】  図においては、帽子・頭取付部５の上側に支え部４があり、支え部４の先端に回転自在具３が付き、回転自在具３には吊るし糸２で吊るされた基準位置おもり１で構成されたものである。【００１０】  以下、上記構成の動作を説明する。支え部４が上側にある帽子・頭取付部５を頭に載せアドレスをすると、支え部４の先端に回転自在具３が付き、その回転自在具には吊るし糸２で吊るされた基準位置おもり１があるのである。その基準位置おもり１がスイング中に動く分だけスイングのブレを示すものである。そして、その動き方を見てスイング修正しながら正しいスイングイメージをつくってゆくのである。こようにして、正しいスイング理解者で上級者が少ない現実でも、自分自身で会得できるのである。悩んでいる私やもしや貴方も是非試したくなるものである。
【図面の簡単な説明】
【００１１】
【図１】    本発明の実施例を示す側面概略図
【図２】    同実施例の正面概略図
【符号の説明】
１    基準位置おもり
２    吊るし糸
３    回転自在具
４    支え部
５    帽子・頭取付部
ａ    ゴルファー
ｂ    ゴルフクラブ
ｃ    ゴルフボール
【図１】
2007152072.tif 000003
【図２】
2007152072.tif 000004
(57)【要約】      （修正有）【課題】  冬期における就寝時に用いる袖付きのかいまき毛布寝袋を家事の時着用する防寒着として活用することにより、冬期の寒さにおける日常動作を容易にする。【解決手段】毛布素材を袖付きの寝袋部１にすることにより、より保温性を高めることができる。また寝袋部１に袖２を取り付け、前方に開閉部３を、下方に紐や面ファスナテープ付きの対腰部固定部４を備えることにより、図２のように毛布を着たまま家事等の日常動作をすることができ、作業性の向上と共に、暖房費用の節約等にもなる衣服兼用寝具である。【選択図】図１
2007152047.tif 000002
【特許請求の範囲】
【請求項１】
毛布素材の袖付きの寝袋型であることを特徴とし、前方にファスナーあるいはボタン等を有する開閉部を備え、下方には紐あるいはマジックテープ付きのバンド等の対腰部固定部を有する衣服兼用寝具。
【発明の詳細な説明】
【技術分野】
【０００１】  本発明は、保温性を高めるとともに、着たままで日常動作ができる袖付きの寝袋型かいまき毛布に関する。
【背景技術】
【０００２】  従来のかいまき毛布は、袖を通し、衣服のように着るタイプのもので保温性を高めるものであった。
【発明の開示】
【発明が解決しようとするか課題】
【０００３】  しかし、これでは頭部まで暖めることができず、また、足のほうに隙間があることから、保温性に課題があった。加えて、着たままの日常動作をするには困難であった。
【課題を解決する手段】
【０００４】  そこで、前方に開閉部を有し、下方に紐あるいはマジックテープ付きのバンド等の対腰部固定部を有する袖付き寝袋型かいまき毛布を考案した（図１）。
【発明の効果】
【０００５】  本発明の袖付き寝袋型かいまき毛布により、従来のかいまき毛布より保温性を高めることができる。また着たまま日常動作ができるため、冬期の早朝の家事などをするのが楽になる。そして冬期の暖房器具の使用率が減り、省エネにも効果が期待される。
【発明を実施するための最良の形態】
【０００６】  本発明は図１のように袖を有する寝袋型の毛布になっている。そして衣服のように前方部にファスナーやボタン等の開閉部を有している。また、下部には、紐あるいはマジックテープ付きのバンド等の対腰部固定部を有し、図２のように足を毛布から出し、対腰部固定部を腰部に巻いて固定することにより、着たままで歩くことが可能になる。
【図面の簡単な説明】
【０００７】
【図１】  本発明に係る袖付き寝袋型かいまき毛布の斜視図である。
【図２】  本発明に係る袖付き寝袋型かいまき毛布の装着時の説明図である。
【図３】  本発明に係る袖付き寝袋型かいまき毛布の装着時の側面図である。
【符号の説明】
【０００８】  １      寝袋部
２      袖
３      開閉部
４      対腰部固定部
【図１】
2007152047.tif 000003
【図２】
2007152047.tif 000004
【図３】
2007152047.tif 000005
(57)【要約】【課題】      本発明は、フードプロセッサーの中と蓋の内側にパーツを簡易装着させて、ニンニク等の薄皮を瞬時に剥くことができる。【解決手段】      本発明は、フードプロセッサーにパーツを簡単に装着させて、フードプロセッサーの本来もつ遠心力、加速力、衝撃力に摩擦抵抗を利用して薄皮を瞬時にむくことによって、料理全般の作業に大いに貢献でき、役立つ。【選択図】図１
2007152041.tif 000002
【特許請求の範囲】
【請求項１】
料理に使うフードプロセッサーの中と蓋の内側に装着させる、薄皮を瞬時にむく為の機能を持つ、軟質合成樹脂およびゴム製品による装着式パーツ
【発明の詳細な説明】
【技術分野】
【０００１】  本発明は、フードプロセッサーの中と蓋に装着させて、ニンニク、等の薄皮を瞬時にむく為の、軟質合成樹脂およびゴム製品による装着式パーツである。
【背景技術】
【０００２】  にんにくを主とする大きさの食材の薄皮を、従来の技術では、手で皮をむく、または時間を消費する機械が多く、労力を大変消費していた。
【発明の開示】
【発明が解決しようとする課題】
【０００３】    料理を行う時に、従来の技術では、薄皮をむくニンニク、等の食材を手又は押し圧力を使って作業をしている。また、ニンニク、銀杏、等の食材を大量に要する時、時間的、労働的負担である。薄皮を瞬時にむくことが目的であり、ニンニクを分解することなく１個まるごと入れることも可能にし、フードプロセッサーに装着させることによって、秒単位で薄皮をむくことを可能にし、前述の欠点を解決しようとするものである。
【課題を解決するための手段】
【０００４】    本発明は、フードプロセッサーにパーツを簡単に装着させて、フードプロセッサーの本来もつ遠心力、加速力、衝撃力に摩擦抵抗を利用して薄皮を瞬時にむくことによって、上述の問題点を解決している。
【発明の効果】
【０００５】料理をする際の作業時間、労力の軽減が可能であり、従来の技術のにんにくの皮むき器（特開２００４−１２１５７５、特開平１０−１７４６４７）よりもはるかに時間を短縮して、秒単位でむくことができ、ニンニクを分解することなく１個まるごと入れることも可能にし、食材を傷つけることなく、大小問わず綺麗にしてあげることが可能である。
【発明を実施するための最良の形態】
【０００６】上述をふまえた上で、フードプロセッサーの中と蓋の内側にパーツを、装着させて、通常どおりに電源をいれて、作業する。
【実施例】
【０００７】    以上、添付図面に従って一実施例を説明する。１は、フードプロセッサーに装着させるプレートのスポンジゴムであり、２は、脱着する際に使用する穴のつまみである。３は、フードプロセッサーと直接接続させるためのプレートである。４は、フードプロセッサーの上蓋に接着させる網目状プラスチックを内蔵したスポンジゴムである。それにより、上蓋に合わせて、切断することによってサイズの調整が可能である。
【産業上の利用可能性】
【０００８】  本発明は、主に、飲食店等で使用されている、フードプロセッサーの中と蓋の内側に装着させて使うことを目的としている為、このパーツを用いることで作業効率をあげることができる。
【図面の簡単な説明】
【０００９】
【図１】  本発明のパーツの正面図である。
【図２】  網目状プラスチックの内蔵したスポンジゴム
【符号の説明】
【００１０】  １    スポンジゴム
２    脱着する際にしようするつまみ
３    本体と接続するプレート
４    網目状プラスチックの内蔵したスポンジゴム
【図１】
2007152041.tif 000003
【図２】
2007152041.tif 000004
【手続補正書】
【提出日】平成18年2月6日(2006.2.6)
【手続補正１】
【補正対象書類名】特許請求の範囲
【補正対象項目名】請求項１
【補正方法】変更
【補正の内容】
【請求項１】
料理に使うフードプロセッサーの中と蓋の内側に装着させる、薄皮を瞬時にむく為の機能を持つ、軟質合成樹脂およびゴム製品、泡状の空間を持つはっぽう合成樹皮、はっぽう天然物質による装着式パーツ
【手続補正２】
【補正対象書類名】明細書
【補正対象項目名】０００１
【補正方法】変更
【補正の内容】
【０００１】  料理に使うフードプロセッサーの中と蓋の内側に装着させる、薄皮を瞬時にむく為の機能を持つ、軟質合成樹脂およびゴム製品、泡状の空間を持つはっぽう合成樹皮、はっぽう天然物質による装着式パーツである。
【手続補正３】
【補正対象書類名】明細書
【補正対象項目名】０００７
【補正方法】変更
【補正の内容】
【０００７】以上、添付図面に従って一実施例を説明する。
図１（ア）１−Ａは、フードプロセッサーに装着させるスポンジゴムである。
２は、フードプロセッサーと直接接続させるためのプレートである。取り出す時のつまみにもなる。
３は、穴の開いたスポンジゴムや、突起の出たスポンジゴムと交換する時のパーツである。
１−Ｂ、１−Ｃは、材料の水分の量、種類、皮質によってスポンジゴムの表面に穴を開けたり突起を出したりと、皮のむけ具合により、パーツを選ぶ事が出来る。
図２（４）は、フードプロセッサーの上ブタに装着させる網目状のプラスチックを内蔵したスポンジゴムである。
図３（イ）は、スライド式フードプロセッサーに装着させるパーツである。上箱、又は上ブタ状の中に装着させ材料を押さえる役目をする。
（ウ）は、スライド式フードプロセッサーの下側のスライダーまたは、下箱に付けるスポンジゴム付パーツである。
【手続補正４】
【補正対象書類名】明細書
【補正対象項目名】０００９
【補正方法】変更
【補正の内容】
【０００９】
【図１】（ア）は、本発明の直接フードプロセッサーに接続させる正面図である
【図２】網目状のプラスチックを内蔵したスポンジゴム
【図３】スライド式フードプロセッサーに装着させる為の図形である
【手続補正５】
【補正対象書類名】明細書
【補正対象項目名】００１０
【補正方法】変更
【補正の内容】
【００１０】１  （１−Ａ）スポンジゴム
２  本体と接続するプレート
３  スポンジゴム接着させ、本体側のプレートに接続させる為のプレート
４  フードプロセッサーの上ブタに接着させる網目状のプラスチックを内蔵したスポンジゴム
５  スライド式フードプロセッサーに、上から載せ入れるパーツ
６  （５）に装着させるプレート
７  デコボコのスポンジゴム
８  スポンジゴム
９  スライド式フードプロセッサーに接続させるプレート
（１−Ｂ）  穴の開いたスポンジゴム
（１−Ｃ）  突起の出ているスポンジゴム
【手続補正６】
【補正対象書類名】図面
【補正対象項目名】全図
【補正方法】変更
【補正の内容】
【図１】
2007152041.tif 000005
【図２】
2007152041.tif 000006
【図３】
2007152041.tif 000007
(57)【要約】【課題】    従来のゴム弓は入木の配慮が無い故、筋肉トレーニングには有効でも、射法トレーニングには不向きで有り、離れの時危険ですら有った。【解決手段】本発明のものは  入木を施し  且つ  ゴム紐の長さ・強度を容易に調整できる事により  実際の弓と同じ挙動をして  同じ手応えを得て  安全・安心に  平常心で鍛錬・修養に専心できる。【選択図】図１
2007152050.tif 000002
【特許請求の範囲】
【請求項１】
弓道射法八節練習の為のゴム弓において、矢摺籐・握りを備えたのみならず、入木も備え、引分け・会・離れ時の手応えも実際に似て、残身の修養にも役立ち、筋肉鍛錬と共に正しい手の内を学ぶ事ができるゴム弓。
【請求項２】
ゴム弓において、ゴム紐の長さ調節・強さ変更・確かな固定などを容易に・簡便に施す事ができるゴム紐の固定方法
【発明の詳細な説明】
【技術分野】
【０００１】  本発明は  弓道において  単なる筋肉トレーニングではなく、射法八節の技量と正しい手の内をも学ぶ事ができる  練習用ゴム弓である。
【発明の開示】
【発明が解決しようとする課題】
【０００２】  従来  筋肉トレーニング用のゴム弓は有ったが  実際の弓とその挙動が異なり、それ故筋肉トレーニングには効果有っても、射法の上達には効果無く  むしろ  放たれたゴムが弓手親指付け根付近を強打して  怪我の虞すら有った。
【課題を解決する為の手段】
【０００３】  ゴム弓が実際の弓と同じ挙動をする為  ゴム弓へ  実際の弓と同じ入木を施す。
【発明の効果】
【０００４】  ゴム弓に入木がある故  引分け・会・離れの時に  実際の弓と同じ手応えが得られて、残身の修養にも  充分な効果が得られる。
【０００５】  ゴム弓に入木が有る故  離れの時  ゴム弓が自然回転し  ゴムは弓手に当たる事が無いから  鍛錬者は恐怖する事なく  平常心で鍛錬に集中する事ができる。
【０００６】  他方  ゴム紐の固定に  簡便且つ確実な  円錐形楔を採用する事により、ゴム紐の長さ調節・強さ変更が  容易に実施可能になり  よりきめ細かな鍛錬を得ることができる。
【発明を実施する為の最良の形態】
【０００７】  適当な長さの弓の様な断面形を持ち  入木が採れる左右方向への張出しがある部材で総重量が実際の弓に類似の物の両端へ  ゴム紐を装着する擂鉢状の穴を設ける。他方  適当な引張強度で  適当な長さのゴム紐を  擂鉢状の穴の小径側から差し込み  大径側から円錐形楔をゴム紐に添えて装填する。
【実施例１】
【０００８】  図１の如き形状の物の両端に  管状又は帯状のゴム紐を固定して成る  ゴム弓
【実施例２】
【０００９】  図２の如き形状の穴に  管状のゴム紐の端末を挿入し、他方から円錐形楔を挿入して成る  管状ゴム紐の固定方法
【実施例３】
【００１０】  図３の如き形状の穴に  帯状のゴム紐の端末を挿入し、他方から円錐形楔を挿入して成る  帯状ゴム紐の固定方法
【図面の簡単な説明】
【００１１】
【図１】従来のゴム弓と  本発明によるゴム弓の  入木の差異を明示した。
【図２】ゴム紐として  ゴム管を採用した場合の  端末固定方法を例示した。
【図３】ゴム紐として  ゴム帯を採用した場合の  端末固定方法を例示した。
【符号の説明】
【００１２】１．従来のゴム弓
２．本発明のゴム弓
３．上下両端のゴム紐固定用擂鉢状の穴
４．矢摺籐、握りの心線
５．上下両端のゴム紐固定穴を通る  通称「弦の線」  心線と弦線の差異が入木である。
６．ゴム紐固定穴へ  ゴム紐と共に挿入する円錐形楔
【図１】
2007152050.tif 000003
【図２】
2007152050.tif 000004
【図３】
2007152050.tif 000005